(57)【要約】本発明は、３次元映像を提供する立体映像装置に関するものである。本発明の実施形態による立体映像装置は、立体映像を提供する立体映像表示ウィンドウが設けられた本体と、前記本体の内部空間を、前記立体映像表示ウィンドウに虚像を提供する第１の空間と、前記立体映像表示ウィンドウに実像を提供する第２の空間とに仕切り、電気により透明度が変わる映像合成パネルと、前記第１の空間に配設されて前記映像合成パネルを介して前記立体映像表示ウィンドウに虚像を提供する第１のディスプレイと、前記第２の空間に配設されて前記映像合成パネルを介して前記立体映像表示ウィンドウに実像を転送する実物器具と、前記第２の空間に配設されて前記実物器具に光を照射する照明器具と、前記各構成要素を制御する制御部と、を備える。これにより、本発明は、鮮明な画質を有する優れた映像品質の２次元および３次元映像を提供することができる。【選択図】図１
2016522423.tif 000002
【特許請求の範囲】
【請求項１】
立体映像を提供する立体映像表示ウィンドウが設けられた本体と、
前記本体の内部空間を、前記立体映像表示ウィンドウに虚像を提供する第１の空間と、前記立体映像表示ウィンドウに実像を提供する第２の空間とに仕切り、電源の投入時に透明度が変わる映像合成パネルと、
前記第１の空間に配設されて前記映像合成パネルを介して前記立体映像表示ウィンドウに虚像を提供する第１のディスプレイと、
前記第２の空間に配設されて前記映像合成パネルを介して前記立体映像表示ウィンドウに実像を提供する実物器具と、
前記第２の空間に配設されて前記実物器具に光を照射する照明器具と、
前記各構成要素を制御する制御部と、
を備えることを特徴とする立体映像装置。
【請求項２】
前記映像合成パネルと重なり合う半透明パネルをさらに備えることを特徴とする請求項１に記載の立体映像装置。
【請求項３】
前記映像合成パネルは向かい合うように隔設されて互いに通電される一対の透明電極板と、
前記一対の透明電極板の間に配設されて電気の選択的な供給に応じて規則的にまたは不規則的に配列される液晶分子を含む高分子液晶層と、
を備えることを特徴とする請求項１に記載の立体映像装置。
【請求項４】
前記映像合成パネルは、前記透明電極板の外面に取り付けられて前記透明電極板を保護する透明保護層をさらに備えることを特徴とする請求項３に記載の立体映像装置。
【請求項５】
前記映像合成パネルは、前記本体に回転自在に取設されることを特徴とする請求項１に記載の立体映像装置。
【請求項６】
前記映像合成パネルは、前記映像合成パネルを前記本体において回転させる駆動器具を備えることを特徴とする請求項１に記載の立体映像装置。
【請求項７】
前記第２の空間に配設されて前記映像合成パネルを介して実像を提供する第２のディスプレイをさらに備えることを特徴とする請求項１に記載の立体映像装置。
【請求項８】
前記実物器具または第２のディスプレイはモーターと噛合されることにより、前記第２の空間内において移動可能であることを特徴とする請求項７に記載の立体映像装置。
【請求項９】
前記実物器具は、筒状のリールと、前記本体において前記リールを回転可能なように支持するリール支持棒および前記リールを回転させるリール回転モーターを備えることを特徴とする請求項１に記載の立体映像装置。
【請求項１０】
前記実物器具は、前記実物器具の動作状態または位置を判断する動作検出部を備え、前記制御部は、前記動作検出部において検出された情報に基づいて、予め設定された前記制御部の情報と一致する場合にイベントを行うように制御することを特徴とする請求項１に記載の立体映像装置。
【請求項１１】
前記制御部は、イベントを行う際に、前記映像合成パネルが透明から不透明へと切り替わる時点と、前記照明器具が点灯される時点との間に時間差が生じるように前記映像合成パネルおよび前記照明器具を制御することを特徴とする請求項１０に記載の立体映像装置。
【請求項１２】
立体映像を提供する立体映像表示ウィンドウが設けられた本体と、
前記本体の内部空間を、前記立体映像表示ウィンドウに虚像を提供する第１の空間と、前記立体映像表示ウィンドウに実像を提供する第２の空間とに仕切る透明材質製の映像合成パネルと、
前記第１の空間に配設されて前記映像合成パネルを介して前記立体映像表示ウィンドウに虚像を提供する第１のディスプレイと、
前記第２の空間に配設されて前記映像合成パネルを介して前記立体映像表示ウィンドウに実像を提供する実物器具と、
前記第２の空間に配設されて前記実物器具に光を照射する照明器具と、
前記各構成要素を制御する制御部と、
を備えることを特徴とする立体映像装置。
【発明の詳細な説明】
【技術分野】
【０００１】
本発明は、３次元映像を提供する立体映像装置に関する。
【背景技術】
【０００２】
一般に、立体映像装置とは、まるで３次元空間にあるかのように見える映像を提供する装置のことをいう。すなわち、２次元映像に深さ情報を与え、該深さ情報を用いて観察者に３次元の生動感および現実感を感じさせる技術である。このような技術を採用する通常の立体映像装置は、左右の目にそれぞれ左右方向から眺めた映像と同じ映像を提示して両眼に視差を与え、これを合成して単一の立体映像のように見えさせるものである。
立体映像装置の一例として、大韓民国登録特許第１０−０９２６６９３号（公告日：２００９年１１月１７日）には「立体映像観覧装置」が開示されている。
【０００３】
従来の立体映像観覧装置は、左側映像を表示する第１のディスプレイモジュールと、右側映像を表示する第２のディスプレイモジュールと、前記第１のディスプレイモジュールから表示される左側映像および第２のディスプレイモジュールから表示される右側映像のうちのいずれか一方は透過させ、左側映像および右側映像のうちの他方は反射させるハーフミラーと、ハーフミラーから透過または反射された左側映像をユーザーの左眼に選択的に透過させ、ハーフミラーから透過または反射された右側映像をユーザーの右眼に選択的に透過させる接眼部と、を備える。
【０００４】
このような構成を有する従来の立体映像観覧装置は、ハーフミラーを用いて左側映像および右側映像をそれぞれ表示することにより、立体映像を提供することができた。
【０００５】
しかしながら、従来の立体映像観覧装置は、透過率の低いハーフミラーにより透過されることにより第２のディスプレイモジュールから提供される不鮮明な実像と、ハーフミラーにより反射されることにより第１のディスプレイモジュールから提供される虚像とが合成されて観察者に提供されるため、立体映像が不鮮明になる結果、生動感および現実感が低下するという問題があった。
【０００６】
また、従来の立体映像観覧装置は、観察者に２次元映像を提供するためにたとえ第１のディスプレイモジュールの映像のみを提供するとしても、映像を提供しない第２のディスプレイモジュールがハーフミラーを透過するが故に、映像を観察する観察者が不要な第２のディスプレイを視認してしまう虞があり、これは、２次元映像の品質の低下につながるという問題があった。
さらに、従来の立体映像観覧装置は、様々な視覚的な効果を提供することができないため現実感が低下し、これは、興味の減少につながるという問題があった。
【先行技術文献】
【特許文献】
【０００７】
【特許文献１】大韓民国登録特許第１０−０９２６６９３号
【発明の概要】
【発明が解決しようとする課題】
【０００８】
本発明は、上述した問題を解消するために案出されたものであり、本発明が解決しようとする課題は、鮮明な立体感を有する優れた映像品質の２次元および３次元映像を提供し、且つ、様々な視覚的な効果または聴覚的な効果を提供することにより、３次元の生動感および現実感が増加して興味を増大させることのできる立体映像装置を提供することである。
【課題を解決するための手段】
【０００９】
上述した課題を達成するために、本発明の一実施形態による立体映像装置は、立体映像を提供する立体映像表示ウィンドウが設けられた本体と、前記本体の内部空間を、前記立体映像表示ウィンドウに虚像を提供する第１の空間と、前記立体映像表示ウィンドウに実像を提供する第２の空間とに仕切り、電源の投入時に透明度が変わる映像合成パネルと、前記第１の空間に配設されて前記映像合成パネルを介して前記立体映像表示ウィンドウに虚像を提供する第１のディスプレイと、前記第２の空間に配設されて前記映像合成パネルを介して前記立体映像表示ウィンドウに実像を提供する実物器具と、前記第２の空間に配設されて前記実物器具に光を照射する照明器具と、前記各構成要素を制御する制御部と、を備える。
本発明の一実施形態による立体映像装置は、前記映像合成パネルと重なり合う半透明パネルをさらに備えていてもよい。
【００１０】
また、本発明の一実施形態による立体映像装置は、前記映像合成パネルは向かい合うように隔設されて互いに通電される一対の透明電極板と、前記一対の透明電極板の間に配設されて電気の選択的な供給に応じて規則的にまたは不規則的に配列される液晶分子を含む高分子液晶層と、を備えていてもよい。
【００１１】
さらに、本発明の一実施形態による立体映像装置において、前記映像合成パネルは、前記透明電極板の外面に取り付けられて前記透明電極板を保護する透明保護層をさらに備えていてもよい。
さらに、本発明の一実施形態による立体映像装置において、前記映像合成パネルは、前記本体に回転自在に取設されてもよい。
【００１２】
さらに、本発明の一実施形態による立体映像装置において、前記映像合成パネルは、前記映像合成パネルを前記本体において回転させる駆動器具を備えていてもよい。
【００１３】
さらに、本発明の一実施形態による立体映像装置は、前記第２の空間に配設されて前記映像合成パネルを介して実像を提供する第２のディスプレイをさらに備えていてもよい。
【００１４】
さらに、本発明の一実施形態による立体映像装置において、前記実物器具または第２のディスプレイはモーターにより噛合されることにより、前記第２の空間内において移動可能であってもよい。
【００１５】
さらに、本発明の一実施形態による立体映像装置において、前記実物器具は、筒状のリールと、前記本体において前記リールを回転可能なように支持するリール支持棒および前記リールを回転させるリール回転モーターを備えていてもよい。
【００１６】
さらに、本発明の一実施形態による立体映像装置において、前記実物器具は、前記実物器具の動作状態または位置を判断する動作検出部を備え、前記制御部は、前記動作検出部において検出された情報に基づいて、予め設定された前記制御部の情報と一致する場合にイベントを行うように制御してもよい。
【００１７】
さらに、本発明の一実施形態による立体映像装置において、前記制御部は、イベントを行う際に、前記映像合成パネルが透明から不透明へと切り替わる時点と、前記照明器具が点灯される時点との間に時間差が生じるように前記映像合成パネルおよび前記照明器具を制御してもよい。
【００１８】
上述した課題を解決するために本発明の他の実施形態による立体映像装置は、立体映像を提供する立体映像表示ウィンドウが設けられた本体と、前記本体の内部空間を、前記立体映像表示ウィンドウに虚像を提供する第１の空間と、前記立体映像表示ウィンドウに実像を提供する第２の空間とに仕切る透明材質製の映像合成パネルと、前記第１の空間に配設されて前記映像合成パネルを介して前記立体映像表示ウィンドウに虚像を提供する第１のディスプレイと、前記第２の空間に配設されて前記映像合成パネルを介して前記立体映像表示ウィンドウに実像を提供する実物器具と、前記第２の空間に配設されて前記実物器具に光を照射する照明器具と、前記各構成要素を制御する制御部と、を備える。
【発明の効果】
【００１９】
本発明によれば、電気により透明度が変わる映像合成パネルが設けられることにより、第２のディスプレイまたは実物器具が映像合成パネルを透過して提供される実像が鮮明であるので、実像と第１のディスプレイが映像合成パネルに反射されて提供される虚像が合成された立体映像の立体感を向上させることにより、３次元の生動感および現実感を増大させることができる。
また、電気により透明度が変わる映像合成パネルが設けられることにより、不要な映像のない鮮明な２次元映像を提供することができる。
【００２０】
さらに、映像合成パネルは半透明パネルが重なるように設けられて第１のディスプレイが映像合成パネルに反射される反射率を高めて立体映像表示ウィンドウに設けられた３次元立体映像の立体感を向上させることができる。
さらに、実物器具は回転自在に設けられて視覚的な演出効果を高めることにより、３次元の生動感および現実感を増大させることができる。
【００２１】
さらに、動作検出部は実物器具の動作状態または位置を判断し、制御部は動作検出部において検出された情報が制御部に予め設定された情報と一致すればイベントを行うように制御することにより、イベントを行う際に立体映像表示ウィンドウを介して様々な視覚的または聴覚的な効果を提供して興味を増大させることができる。
これらに加えて、映像合成パネルは比較的に安価な透明材質のガラスまたは合成樹脂により製作されるので、製作コストを下げることができる。
【図面の簡単な説明】
【００２２】
【図１】本発明の一実施形態による立体映像装置を示す側断面図である。
【図２】本発明の一実施形態による立体映像装置の映像合成パネルにおける液晶分子の配列が規則的であるため光が透過される状態を概略的に示す断面図である。
【図３】本発明の一実施形態による立体映像装置の映像合成パネルにおける液晶分子の配列が不規則的であるため光が散乱される状態を概略的に示す断面図である。
【図４】本発明の一実施形態による立体映像装置の駆動器具の一例を概略的に示す側面図である。
【図５】本発明の一実施形態による第２のディスプレイが設けられた立体映像装置を示す側断面図である。
【図６】本発明の一実施形態による立体映像装置を示すブロック図である。
【図７】本発明の他の実施形態による立体映像装置を示す側断面図である。
【発明を実施するための形態】
【００２３】
以下、添付図面に基づき、本発明の一実施形態による立体映像装置について説明する。
【００２４】
この明細書における虚像とは、後述する映像合成パネル２００に反射された映像を意味し、実像とは、立体映像表示ウィンドウ１１０を介して直接的に視認されるか、あるいは、映像合成パネル２００を透過した映像を意味する。
図１に示すように、本発明の一実施形態による立体映像装置は、本体１００を備えていてもよい。
【００２５】
この本体１００は、立体映像を提供するために一方の面が開口された箱状に形成され、開口された一方の面には立体映像を提供する立体映像表示ウィンドウ１１０が形成されてもよい。
【００２６】
また、本体１００の内部は、後述する映像合成パネル２００により、虚像を提供する第１の空間１３０と、実像を提供する第２の空間１２０とに仕切られてもよい。
【００２７】
一方、この明細書においては、本体１００の内部空間を、虚像を提供する第１の空間１３０と、実像を提供する第２の空間１２０とに仕切っているが、第１の空間１３０と第２の空間１２０が互いに逆になって、実像を提供する第１の空間１３０と、虚像を提供する第２の空間１２０とに仕切ってもよいということはいうまでもない。
このとき、本体１００の内部空間は鮮明な立体映像を提供するように黒色に塗られ、内部空間が暗室のように暗くてもよい。
【００２８】
このように、本体１００の内部空間が暗室のように暗いため、第１の空間１３０が提供した虚像と、第２の空間１２０が提供した実像がなお一層明確に視認されるので、なお一層鮮明な立体映像を提供することができる。
本発明の一実施形態による立体映像装置は、映像合成パネル２００を備えていてもよい。
【００２９】
この映像合成パネル２００は、本体１００の内部空間に虚像を提供する第１の空間１３０と、本体１００の内部空間に実像を提供する第２の空間１２０とを側面から眺めたときに対角線方向に仕切ってもよい。
【００３０】
図２および図３に示すように、映像合成パネル２００は向かい合うように隔設されて互いに通電される一対の透明電極板２２０と、この一対の透明電極板２２０の間に電源の選択的な供給に応じて規則的にまたは不規則的に配列される液晶分子２３１を含む高分子液晶層２３０と、を備えていてもよい。
また、映像合成パネル２００は、透明電極板２２０を保護するように透明電極板２２０の外面に透明保護層２１０が取り付けられてもよい。
【００３１】
このような構成を有する映像合成パネル２００は、電源を供給すれば高分子液晶層２３０の液晶分子２３１が規則的に配列されて光を透過可能な透明状態となり、電源の供給を遮断すれば、規則的な液晶分子２３１が不規則的に変化されて光を散乱させるため不透明状態になる。
【００３２】
ここで、映像合成パネル２００が不透明状態であるときには光を反射させる鏡のような役割を果たして第１の空間１３０が提供する映像を反射させて虚像を立体映像表示ウィンドウ１１０に提供することができる。
【００３３】
また、映像合成パネル２００が不透明状態である場合には、映像合成パネル２００が第２の空間１２０が提供する実像を遮断することにより、第１の空間１３０が提供する虚像である映像のみを提供して不要な映像のない高品質の２次元映像を提供することができる。
【００３４】
これに対し、映像合成パネル２００が透明状態である場合には、第１の空間１３０が提供する映像を反射させて虚像を立体映像表示ウィンドウ１１０に提供するだけではなく、第２の空間１２０が提供する映像または物体の形状が映像合成パネル２００を透過して実像を立体映像表示ウィンドウ１１０に提供することができる。
【００３５】
このとき、映像合成パネル２００は透明状態であるため、映像または物体の形状が透過して実像が一層鮮明に見えるので、鮮明な立体映像を提供することができる。
【００３６】
このように、映像合成パネル２００が透明状態である場合に、立体映像表示ウィンドウ１１０に実像および虚像を提供するが、この虚像が実像から離れた位置に提供されるので、深さ感を有する立体映像を提供することができる。
【００３７】
一方、映像合成パネル２００は、上端の両側または下端の両側にヒンジ軸２４３が取設されて本体１００において映像合成パネル２００がヒンジ軸２４３を中心に回転して映像合成パネル２００の設置角度を調節することができる。
【００３８】
このように、映像合成パネル２００の設置角度を調節することにより、立体映像表示ウィンドウ１１０に表示される虚像の深さを異ならせることができるので、立体感をさらに向上させることができる。
図４に示すように、映像合成パネル２００は駆動器具２４０を備えていてもよい。
この駆動器具２４０は、本体１００に回転自在に取設された映像合成パネル２００を回転させる駆動力を提供することができる。
【００３９】
一方、駆動器具２４０はモーター２４２であってもよく、駆動器具２４０は映像合成パネル２００のヒンジ軸２４３に直結されてもよく、複数のギア２４１が噛み合ってモーター２４２の力および速度を調節して映像合成パネル２００を駆動するように構成されてもよい。
本発明の一実施形態による立体映像装置は、半透明パネル３００をさらに備えていてもよい。
【００４０】
この半透明パネル３００は、第１の空間１３０が提供する映像を反射させて立体映像表示ウィンドウ１１０に虚像を提供するように、第１の空間１３０と向かい合う映像合成パネル２００の面に重なってもよい。
ここで、半透明パネル３００とは、例えば、ハーフミラーのように材料の分子構造により反射率および透過率が半分ずつである特性を有するパネルを意味する。
本発明の一実施形態による立体映像装置は、第１のディスプレイ４００を備えていてもよい。
この第１のディスプレイ４００は第１の空間１３０に配設されて映像合成パネル２００を介して立体映像表示ウィンドウ１１０に虚像を提供することができる。
【００４１】
すなわち、第１のディスプレイ４００において再生される映像が映像合成パネル２００に反射されて立体映像表示ウィンドウ１１０を介して見えるように虚像を提供することができる。
【００４２】
また、第１のディスプレイ４００は映像合成パネル２００を向くが、一方の端は映像合成パネル２００を向き、且つ、他方の端は立体映像表示ウィンドウ１１０を向くように第１の空間１３０に配設されてもよい。
【００４３】
ここで、第１のディスプレイ４００とは、映像信号を受信して映像を提供するものを意味し、例えば、第１のディスプレイ４００は液晶ディスプレイであってもよい。
本発明の一実施形態による立体映像装置（図５、図６）は、実物器具５００を備えていてもよい。
この実物器具５００は、映像合成パネル２００を介して立体映像表示ウィンドウ１１０に実像を提供するように、第２の空間１２０に配設されてもよい。
すなわち、実物器具５００が映像合成パネル２００を透過して立体映像表示ウィンドウ１１０を介して見えるように実像を提供することができる。
【００４４】
このとき、映像合成パネル２００を介して立体映像表示ウィンドウ１１０に提供された実像は、映像合成パネル２００を介して立体映像表示ウィンドウ１１０に提供された深さ感を有する虚像と合成されて観察者に深さ感を有する立体映像を提供することができる。
また、実物器具５００は、立体映像表示ウィンドウ１１０に実像を提供する様々な形状を呈してもよい。
さらに、実物器具５００はモーターと噛合されることにより、第２の空間１２０内において自由に移動可能である。
ここで、実物器具５００は、立体映像装置がゲーム機である場合、ゲーム用リール５２０に適用されることを想定して説明する。
実物器具５００は、リール５２０と、リール支持棒５３０およびリール回転モーター５４０を備えていてもよい。
リール５２０は筒状に形成されてリール５２０の外面には複数の絵柄が描かれてもよい。
【００４５】
また、リール回転モーター５４０はリール５２０に回転力を伝え、リール５２０は回転を通じて立体映像表示ウィンドウ１１０に複数の絵柄を提供することができる。
【００４６】
このように、リール５２０がリール回転モーター５４０により回転されることにより、３次元的な事実性を高めて立体映像表示ウィンドウ１１０を介して立体映像を観察する観察者の興味を増大させることにより、ゲームへの参与度を高めることができる。
【００４７】
リール支持棒５３０は、リール５２０が回転軸５２１を中心として回転可能なように棒状に形成されてリール支持棒５３０の一方の端はリール５２０の回転軸５２１と連結され、リール支持棒５３０の他方の端は本体１００と連結されてリール５２０を支持することができる。
【００４８】
一方、実物器具５００は動作検出部５５０を介してリール回転モーター５４０により回転されるリール５２０の動作および位置を判断することにより、リール５２０の回転が止まったときに立体映像表示ウィンドウ１１０に提供されたリール５２０の図柄を検出し、この検出された情報を制御部に提供することができる。
【００４９】
例えば、動作検出部５５０にはリール５２０の位置を判断するようにセンサーが配設されて、リール５２０の回転が止まったときのリール５２０の位置を判断することにより、立体映像表示ウィンドウ１１０に配設されたリール５２０の絵柄を検出することができる。
【００５０】
他の例を挙げると、リール回転モーター５４０は、後述する制御部６００から供給された駆動パルスごとに所定の角度で回転することによりリール５２０を回転させ、動作検出部５５０は駆動パルスを計数することにより立体映像表示ウィンドウ１１０に配設されたリール５２０の絵柄を検出することができる。
本発明の一実施形態による立体映像装置は、照明器具５１０を備えていてもよい。
【００５１】
この照明器具５１０は、実物器具５００が映像合成パネル２００を透過して立体映像表示ウィンドウ１１０に実像をより鮮明に提供するように、第２の空間１２０に配設されて実物器具５００に光を照射することができる。
【００５２】
すなわち、第２の空間１２０の内部が暗室のように暗いため、照明器具５１０が実物器具５００に光を照射すれば実物器具５００が相対的に映像合成パネル２００に透けて見えるため、立体映像表示ウィンドウ１１０に実像を一層鮮明に提供して立体映像の立体感を向上させ、その結果、観察者に生動感および現実感の高い立体映像を提供することができる。
【００５３】
ここで、照明器具５１０は、例えば、発光ダイオード、蛍光灯であってもよく、照明器具５１０が実物器具５００内部に配設されるか、あるいは、実物器具５００に集中的に光を照射することが好ましい。
図５に示すように、本発明の一実施形態による立体映像装置は、第２のディスプレイ７００を備えていてもよい
この第２のディスプレイ７００は第２の空間１２０に配設されて映像合成パネル２００を介して立体映像表示ウィンドウ１１０に実像を提供することができる。
【００５４】
すなわち、第２のディスプレイ７００において再生される映像が映像合成パネル２００に透過されて立体映像表示ウィンドウ１１０を介して見えるように実像を提供することができる。
【００５５】
このとき、映像合成パネル２００を介して立体映像表示ウィンドウ１１０に提供された実像は、映像合成パネル２００を介して立体映像表示ウィンドウ１１０に提供された深さ感を有する虚像と合成されて観察者に深さ感を有する立体映像を提供することができる。
【００５６】
ここで、第２のディスプレイ７００とは、映像信号を受信して映像を提供するものを意味し、例えば、第２のディスプレイ７００は、液晶ディスプレイであってもよい。
また、第２のディスプレイ７００はモーターによりギア結合されることにより、第２の空間１２０内において自由に移動可能である。
本発明の一実施形態による立体映像装置は、制御部６００を備えていてもよい
【００５７】
この制御部６００は、映像合成パネル２００と、第１のディスプレイ４００と、実物器具５００と、照明器具５１０および第２のディスプレイ７００の動作を制御することができる。
【００５８】
また、制御部６００は、動作検出部５５０において検出された情報に基づいて、制御部６００に予め設定された情報と比較して、動作検出部５５０の情報と制御部６００に予め設定された情報が一致するか、または、一致しない場合にこれに関するイベントを行うように制御することができる。
【００５９】
さらに、制御部６００は、イベントを行う際に、映像合成パネル２００が透明から不透明に切り換わる時点と、リール５２０を照射する照明器具５１０が点灯される時点との間に時間差が生じるように映像合成パネル２００と照明器具５１０を制御することができる。
例えば、映像合成パネル２００を透明から不透明に切り換えて第１のディスプレイ４００を介して提供されるイベントに関する映像を観察者に提供する。
【００６０】
また、再び映像合成パネル２００を不透明から透明に切り換えるとき、照明器具５１０が点灯される時点を映像合成パネル２００が不透明から透明に切り換わる時点よりも遅くする。
【００６１】
このように、立体映像表示ウィンドウ１１０に提供する実像と虚像が現れる時間差を用いることにより、視覚的な効果を提供してゲームの現実感およびゲームへの興味を高めることができる。
【００６２】
一方、制御部６００は、イベントを行う際に、第２のディスプレイ７００にイベントに関する情報を生成することにより、ゲームへの興味および参与度を高めることができる。
【００６３】
また、制御部６００は、イベントを行う際に、実物器具５００および第２のディスプレイ７００が第２の空間１２０内において自由に移動できるように実物器具５００および第２のディスプレイ７００を制御することにより、視覚的な効果を高めてゲームの興味を高めることができる。
【００６４】
さらに、制御部６００は、イベントを行う際に、音響器具８００がイベントに関する効果音を発生することにより、ゲームへの興味および参与度を高めることができる。
上述した各構成要素間の作用および効果について説明する。
【００６５】
本発明の一実施形態による立体映像装置は、制御部６００により映像合成パネル２００に電源が供給されて液晶分子２３１の配列が規則的になることにより、光が透過可能な透明状態となる。
【００６６】
また、制御部６００は、第１のディスプレイ４００に必要な映像情報を提供し、第１のディスプレイ４００が提供する映像が映像合成パネル２００に反射されて立体映像表示ウィンドウ１１０を介して見えるように深さ感を有する虚像を提供する。
【００６７】
このとき、本体１００の内部空間が暗室のように暗いため、第１のディスプレイ４００が映像合成パネル２００に反射されて立体映像表示ウィンドウ１１０に提供される虚像が一層鮮明に表示されることにより、立体映像表示ウィンドウ１１０を介して立体映像を観察する観察者にさらに鮮明な３次元立体映像を提供することができる。
【００６８】
一方、実物器具５００は、照明器具５１０により光が照射されて透明状態となった映像合成パネル２００を介して立体映像表示ウィンドウ１１０に実像を鮮明に提供する。
【００６９】
このとき、映像合成パネル２００は透明状態であるため、実物器具５００が映像合成パネル２００を抜け出る透過率を高めることにより、立体映像表示ウィンドウ１１０に鮮明な実像を提供することができる。
【００７０】
また、実物器具５００に光を照射することにより、実物器具５００が相対的に映像合成パネル２００に透けて見えるため、立体映像表示ウィンドウ１１０に実像が一層鮮明に表示される。
【００７１】
さらに、本体１００の内部空間が暗室のように暗いため、第２の空間１２０が提供した実像が鮮明であり、その結果、立体映像の生動感および現実感を増大させることができる。
【００７２】
このように、映像合成パネル２００が透明状態である場合、立体映像表示ウィンドウ１１０に鮮明な実像および虚像を提供するが、この虚像が実像から離れた位置に提供されるので、生動感および現実感があふれ、且つ、深さ感を有する立体映像を提供することができる。
【００７３】
一方、実物器具５００は、リール５２０がリール回転モーター５４０により回転されることにより、立体映像表示ウィンドウ１１０を介して立体映像を観察する観察者の興味を高めることができるという効果がある。
【００７４】
すなわち、立体映像表示ウィンドウ１１０がリール５２０の外面に描かれている複数の図柄を動かす突出形状を呈することにより、視覚的な演出効果を高めてゲームの興味および参与度を高めることができる。
【００７５】
また、実物器具５００は、動作検出部５５０を介して実物器具５００の動作状態または位置を判断し、制御部６００は、動作検出部５５０において検出された情報に基づいて、制御部６００に予め設定された情報と比較して、動作検出部５５０の情報と制御部６００に予め設定された情報が一致するか、あるいは、一致しない場合、これに関するイベントを行うように制御することができる。
【００７６】
また、制御部６００は、イベントを行う際に、ゲームの生動感および現実感を増大させるために、映像合成パネル２００が透明から不透明に切り換わる時点と、照明器具５１０が点灯される時点との間に時間差を生じさせる。
【００７７】
例えば、制御部６００は、イベントを行う際に、映像合成パネル２００を透明から不透明に切り換えて第１のディスプレイ４００を介して提供されるイベントに関する映像を観察者に提供する。
【００７８】
さらに、再び映像合成パネル２００を不透明から透明に切り換えるとき、照明器具５１０が点灯される時点を映像合成パネル２００が不透明から透明に切り換わる時点よりも遅くする。
【００７９】
このように、立体映像表示ウィンドウ１１０に提供する実像および虚像が現れる時間の差を用いて立体映像を観察する観察者の興味を誘発することにより、ゲームの興味を高めることができる。
【００８０】
また、第１のディスプレイ４００または第２のディスプレイ７００は、ゲームに関する情報およびイベントを行う際のイベントに関する情報を観察者に提供することにより、ゲームへの理解度を高めてゲームへの興味および参与度を高めることができる。
【００８１】
さらに、制御部６００は、イベントを行う際に、音響器具８００にイベントに関する効果音を発生することにより、ゲームの生動感および現実感を増大させることができる。
【００８２】
加えて、制御部６００は、イベントを行う際に、実物器具５００および第２のディスプレイ７００が第２の空間１２０内において自由に移動できるように実物器具５００および第２のディスプレイ７００を制御することにより、視覚的な効果を高めてゲームへの興味を高めることができる。
【００８３】
一方、立体映像装置は、制御部６００により映像合成パネル２００への電源の供給が遮断されて液晶分子２３１の配列が不規則的になることにより、光が散乱されて不透明状態になる。
【００８４】
ここで、制御部６００は、第１のディスプレイ４００に必要な映像情報を提供することにより、不透明状態になった映像合成パネル２００が光を反射させる鏡のような役割を果たして第１のディスプレイ４００が提供する映像を反射させることにより、立体映像表示ウィンドウ１１０に虚像を提供する。
【００８５】
このとき、半透明パネル３００は、第１の空間１３０と向かい合う映像合成パネル２００の面に重なるように配設されて、第１のディスプレイ４００が提供した映像が映像合成パネル２００に反射される反射率をさらに高めて立体映像の品質をさらに向上させることができる。
【００８６】
また、映像合成パネル２００が不透明状態である場合には、映像合成パネル２００が第２の空間１２０が提供する実像を遮断することにより、第１の空間１３０が提供する映像のみを提供して不要な映像のない高品質の２次元映像を提供することができる。
【００８７】
このため、本発明の一実施形態による立体映像装置には、電源の供給により透明度が変わる映像合成パネル２００が配設されることにより、第２のディスプレイ７００または実物器具５００が映像合成パネル２００を透過して提供される実像が鮮明であるため、実像と第１のディスプレイ４００が映像合成パネル２００に反射されて提供される虚像が合成された立体映像の立体感を向上させることにより、３次元の生動感および現実感を増大させることができる。
また、電源の供給により透明度が変わる映像合成パネル２００が配設されることにより、不要な映像のない高品質の２次元映像を提供することができる。
【００８８】
さらに、映像合成パネル２００は、半透明パネル３００が重なるように配設されて第１のディスプレイ４００が映像合成パネル２００に反射される反射率を高めて立体映像表示ウィンドウに提供された立体映像の立体感を向上させることができる。
さらにまた、実物器具５００は回転自在に配設されて視覚的な演出効果を高めることにより、３次元の生動感および現実感を増大させることができる。
【００８９】
加えて、動作検出部５５０は、実物器具５００の動作状態または位置を判断し、制御部６００は動作検出部５５０において検出された情報が制御部６００に予め設定された情報と一致すればイベントを行うように制御することにより、イベントを行う際に立体映像表示ウィンドウ１１０を介して様々な視覚的または聴覚的な効果を提供し、その結果、立体映像の生動感および現実感を増大させることができる。
【００９０】
本発明の他の実施形態による立体映像装置は、本発明の一実施形態による映像合成パネル２００を除いては、残りの構成要素が同様であるため、同じ構成要素には同じ符号を付し、同じ構成要素は同じ作用および効果を有するためその詳細な説明は省略する。
本発明の他の実施形態による立体映像装置の映像合成パネル２００?は、透明な材質のパネルであってもよい。
この映像合成パネル２００?は、例えば、透明なガラス、透明な合成樹脂などの透明性を有するパネルで製作されてもよい。
【００９１】
一方、本発明の他の実施形態による映像合成パネル２００?は、本発明の一実施形態における映像合成パネル２００と同様に、本体１００の内部空間に虚像を提供する第１の空間１３０と、本体１００の内部空間に実像を提供する第２の空間１２０を側面から眺めたときに対角線の方向に仕切ってもよい。
【００９２】
すなわち、映像合成パネル２００?は、第１の空間１３０が提供する映像を反射させて虚像を立体映像表示ウィンドウ１１０に提供するだけではなく、第２の空間１２０が提供する映像または物体の形状が映像合成パネル２００?を透過して実像を立体映像表示ウィンドウ１１０に提供することができる。
【００９３】
このため、本発明の他の実施形態による立体映像装置の映像合成パネル２００?は、本体１００の暗い内部空間に配設されるため、第１の空間１３０が提供される映像の反射率が高く、第２の空間１２０に配設される実物器具５００の形状を一層鮮明にするので、一層鮮明な立体映像を提供することができる。
また、映像合成パネル２００?は比較的に安価な透明な材質のガラスまたは合成樹脂で製作されるので、製作コストを下げることができる。
【００９４】
以上、本発明の好適な実施形態について説明したが、本発明の範囲はこのような特定の実施形態にのみ何ら限定されるものではなく、当該分野における通常の知識を有する者であれば、本発明の特許請求の範囲に記載の範囲内において適切に変更可能であるということはいうまでもない。
【産業上の利用可能性】
【００９５】
本発明は、ゲーム機分野、映画分野、広告分野などエンターテインメント立体映像ディスプレイに関する産業分野において利用可能である。
【符号の説明】
【００９６】
１００：本体
１１０：立体映像表示ウィンドウ
１２０：第２の空間
１３０：第１の空間
２００：映像合成パネル
２１０：透明保護層
２２０：透明電極板
２３０：高分子液晶層
２４０：駆動器具
２４１：ギア
２４２：モーター
２４３：ヒンジ軸
３００：半透明パネル
４００：第１のディスプレイ
５００：実物器具
５１０：照明器具
５２０：リール
５２１：回転軸
５３０：リール支持棒
５４０：リール回転モーター
５５０：動作検出部
６００：制御部
７００：第２のディスプレイ
８００：音響器具
【図１】
2016522423.tif 000003
【図２】
2016522423.tif 000004
【図３】
2016522423.tif 000005
【図４】
2016522423.tif 000006
【図５】
2016522423.tif 000007
【図６】
2016522423.tif 000008
【図７】
2016522423.tif 000009
【国際調査報告】
2016522423.tif 000010
2016522423.tif 000011
2016522423.tif 000012
2016522423.tif 000013